【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】  肺炎球菌の抗原、アジュバント量のインターロイキン−１２、および懸濁液状の鉱物の混合物を含んで成り、そして場合によっては生理学的に許容できるベヒクルを含んで成る、ワクチン組成物。
【請求項２】  インターロイキン−１２が鉱物懸濁液上に吸着される、請求項１に記載のワクチン組成物。
【請求項３】  インターロイキン−１２がヒトインターロイキン−１２である、請求項１に記載のワクチン組成物。
【請求項４】  懸濁液状の鉱物が明礬の水性懸濁液である、請求項１に記載のワクチン組成物。
【請求項５】  明礬が、水酸化アルミニウムもしくはリン酸アルミニウムである、請求項４に記載のワクチン組成物。
【請求項６】  肺炎球菌の抗原が、肺炎球菌莢膜多糖の血清型１、４、５、６Ｂ、９Ｖ、１４、１８Ｃ、１９Ｆおよび２３Ｆ、ならびにそれらの組み合わせより成る群から選択される、請求項１に記載のワクチン組成物。
【請求項７】  肺炎球菌の抗原が担体分子に複合される、請求項１に記載のワクチン組成物。
【請求項８】  担体分子が、破傷風トキシン、ジフテリアトキシン、百日咳トキシンおよびそれらの非毒性の変異体より成る群から選択される、請求項７に記載のワクチン組成物。
【請求項９】  担体分子がＣＲＭ197である、請求項８に記載のワクチン組成物。
【請求項１０】  肺炎球菌の抗原、アジュバント量のインターロイキン−１２および懸濁液状の鉱物の混合物の、肺炎球菌の抗原に対する免疫応答を導き出すクチン組成物の製造のための使用。
【請求項１１】  インターロイキン−１２が鉱物懸濁液上に吸着される、請求項１０に記載の使用。
【請求項１２】  インターロイキン−１２がヒトインターロイキン−１２である、請求項１０に記載の使用。
【請求項１３】  懸濁液状の鉱物が明礬の水性懸濁液である、請求項１０に記載の使用。
【請求項１４】  明礬が、水酸化アルミニウムもしくはリン酸アルミニウムである、請求項１３に記載の使用。
【請求項１５】  肺炎球菌の抗原が、肺炎球菌莢膜多糖の血清型１、４、５、６Ｂ、９Ｖ、１４、１８Ｃ、１９Ｆおよび２３Ｆ、ならびにそれらの組み合わせより成る群から選択される、請求項１０に記載の使用。
【請求項１６】  肺炎球菌の抗原が担体分子に複合される、請求項１０に記載の使用。
【請求項１７】  担体分子が、破傷風トキシン、ジフテリアトキシン、百日咳トキシンおよびそれらの非毒性の変異体より成る群から選択される、請求項１６に記載の使用。
【請求項１８】  担体分子がＣＲＭ197である、請求項１７に記載の使用。
【請求項１９】  肺炎球菌の抗原、アジュバント量のインターロイキン−１２および懸濁液状の鉱物の混合物の、肺炎球菌ワクチンに対するＩＦＮ−γ応答を高めるワクチン組成物の製造のための使用。
【請求項２０】  肺炎球菌の抗原、アジュバント量のインターロイキン−１２および懸濁液状の鉱物の混合物の、病原体に対する保護的応答のための補体結合抗体を導き出す免疫原性組成物の製造のための使用。
【請求項２１】  肺炎球菌の抗原、アジュバント量のインターロイキン−１２および懸濁液状の鉱物の混合物を含んで成り、そして場合によっては生理学的に許容できるベヒクルを含んで成る、免疫原性組成物。
【請求項２２】  インターロイキン−１２が鉱物懸濁液上に吸着される、請求項２１に記載の免疫原性組成物。
【請求項２３】  インターロイキン−１２がヒトインターロイキン−１２である、請求項２１に記載の免疫原性組成物。
【請求項２４】  懸濁液状の鉱物が明礬の水性懸濁液である、請求項２１に記載の免疫原性組成物。
【請求項２５】  明礬が、水酸化アルミニウムもしくはリン酸アルミニウムである、請求項２４に記載の免疫原性組成物。
【請求項２６】  肺炎球菌の抗原が、肺炎球菌莢膜多糖の血清型１、４、５、６Ｂ、９Ｖ、１４、１８Ｃ、１９Ｆおよび２３Ｆ、ならびにそれらの組み合わせより成る群から選択される、請求項２１に記載の免疫原性組成物。
【請求項２７】  肺炎球菌の抗原が担体分子に複合される、請求項２１に記載の免疫原性組成物。
【請求項２８】  担体分子が、破傷風トキシン、ジフテリアトキシン、百日咳トキシンおよびそれらの非毒性の変異体より成る群から選択される、請求項２７に記載の免疫原性組成物。
【請求項２９】  担体分子がＣＲＭ197である、請求項２８に記載の免疫原性組成物。
【請求項３０】  髄膜炎菌の抗原、アジュバント量のインターロイキン−１２および懸濁液状の鉱物の混合物を含んで成り、そして場合によっては生理学的に許容できるベヒクルを含んで成る、ワクチン組成物。
【請求項３１】  インターロイキン−１２が鉱物懸濁液上に吸着される、請求項３０に記載のワクチン組成物。
【請求項３２】  インターロイキン−１２がヒトインターロイキン−１２である、請求項３０に記載のワクチン組成物。
【請求項３３】  懸濁液状の鉱物が明礬の水性懸濁液である、請求項３０に記載のワクチン組成物。
【請求項３４】  明礬が、水酸化アルミニウムもしくはリン酸アルミニウムである、請求項３３に記載のワクチン組成物。
【請求項３５】  髄膜炎菌の抗原が、髄膜炎菌（Ｎｅｉｓｓｅｒｉａ  ｍｅｎｉｎｇｉｔｉｄｉｓ）のタイプＣ莢膜多糖である、請求項３０に記載のワクチン組成物。
【請求項３６】  髄膜炎菌の抗原が担体分子に複合される、請求項３０に記載のワクチン組成物。
【請求項３７】  担体分子が、破傷風トキシン、ジフテリアトキシン、百日咳トキシンおよびそれらの非毒性の変異体より成る群から選択される、請求項３６に記載のワクチン組成物。
【請求項３８】  担体分子がＣＲＭ197である、請求項３７に記載のワクチン組成物。
【請求項３９】  髄膜炎菌の抗原、アジュバント量のインターロイキン−１２および懸濁液状の鉱物の混合物の、髄膜炎菌の抗原に対する免疫応答を導き出すワクチン組成物の製造のための使用。
【請求項４０】  インターロイキン−１２が鉱物懸濁液上に吸着される、請求項３９に記載の使用。
【請求項４１】  インターロイキン−１２がヒトインターロイキン−１２である、請求項３９に記載の使用。
【請求項４２】  懸濁液状の鉱物が明礬の水性懸濁液である、請求項３９に記載の使用。
【請求項４３】  明礬が、水酸化アルミニウムもしくはリン酸アルミニウムである、請求項４２に記載の使用。
【請求項４４】  髄膜炎菌の抗原が、髄膜炎菌（Ｎｅｉｓｓｅｒｉａ  ｍｅｎｉｎｇｉｔｉｄｉｓ）のタイプＣ莢膜多糖である、請求項３９に記載の使用。
【請求項４５】  髄膜炎菌の抗原が担体分子に複合される、請求項３９に記載の使用。
【請求項４６】  担体分子が、破傷風トキシン、ジフテリアトキシン、百日咳トキシンおよびそれらの非毒性の変異体より成る群から選択される、請求項４５に記載の方法。
【請求項４７】  担体分子がＣＲＭ197である、請求項４６に記載の使用。
【請求項４８】  髄膜炎菌の抗原、アジュバント量のインターロイキン−１２および懸濁液状の鉱物の混合物を含んで成り、そして場合によっては生理学的に許容できるベヒクルを含んで成る、免疫原性組成物。
【請求項４９】  インターロイキン−１２が鉱物懸濁液上に吸着される、請求項４８に記載の免疫原性組成物。
【請求項５０】  インターロイキン−１２がヒトインターロイキン−１２である、請求項４８に記載の免疫原性組成物。
【請求項５１】  懸濁液状の鉱物が明礬の水性懸濁液である、請求項４８に記載の免疫原性組成物。
【請求項５２】  明礬が、水酸化アルミニウムもしくはリン酸アルミニウムである、請求項５１に記載の免疫原性組成物。
【請求項５３】  髄膜炎菌の抗原が、髄膜炎菌（Ｎｅｉｓｓｅｒｉａ  ｍｅｎｉｎｇｉｔｉｄｉｓ）のタイプＣ莢膜多糖である、請求項４８に記載の免疫原性組成物。
【請求項５４】  髄膜炎菌の抗原が担体分子に複合される、請求項４８に記載の免疫原性組成物。
【請求項５５】  担体分子が、破傷風トキシン、ジフテリアトキシン、百日咳トキシンおよびそれらの非毒性の変異体より成る群から選択される、請求項５４に記載の免疫原性組成物。
【請求項５６】  担体分子がＣＲＭ197である、請求項５５に記載の免疫原性組成物。